(57)【要約】【課題】投票に関する情報提供のサービスを向上できる投票端末、投票端末における情報表示方法および投票システムを提供する。【解決手段】投票端末１は、入力受付部２と、制御部３と、表示部４と、記憶部７とを備える。入力受付部２は、投票の際に参考とする情報である投票参考情報を閲覧する選択の入力を受け付け、投票参考情報を閲覧するレース場を指定する閲覧場名の入力を受け付け、投票参考情報を閲覧する項目を指定する閲覧項目の入力を受け付ける。制御部３は、投票参考情報を記憶部７から読み出し、閲覧場名で指定されたレース場について閲覧項目に基づき投票参考情報から情報を抽出し、抽出した情報を情報閲覧画面に表示する指示を表示部４に出す。【選択図】図１
2018010397.tif 000002
【特許請求の範囲】
【請求項１】
投票の際に参考とする情報である投票参考情報を閲覧する選択の入力を受け付け、
前記投票参考情報を閲覧するレース場を指定する閲覧場名の入力を受け付け、
前記投票参考情報を閲覧する項目を指定する閲覧項目の入力を受け付ける入力受付部と、
前記投票参考情報を記憶部から読み出し、
前記閲覧場名で指定されたレース場について前記閲覧項目に基づき前記投票参考情報から情報を抽出し、
前記抽出した情報を情報閲覧画面に表示する指示を表示部に出す制御部と、
を備える投票端末。
【請求項２】
前記制御部は、
前記閲覧場名として第１の場名と第２の場名の入力を受け付け、
前記第１の場名で指定されたレース場について前記投票参考情報から前記閲覧項目を抽出した情報と前記第２の場名で指定されたレース場について前記投票参考情報から前記閲覧項目を抽出した情報とを対応付けた情報を前記情報閲覧画面に表示する指示を前記表示部に出す、
請求項１記載の投票端末。
【請求項３】
前記制御部は、
前記情報閲覧画面を表示した後、投票内容を受け付ける画面である投票画面に遷移する指示を受け付け、
前記投票画面において前記閲覧場名を表示する指示を前記表示部に出す、
請求項１記載の投票端末。
【請求項４】
前記制御部は、
前記閲覧場名の入力を受け付ける際に、前記投票参考情報を閲覧する選択の入力を受け付けた月日にレースが開催される場名を表示する指示を前記表示部に出し、
前記レースが開催される場名から前記閲覧場名を選択する入力を受け付ける、
請求項１記載の投票端末。
【請求項５】
前記投票参考情報は、レース場ごとの情報であり、出走表、水面図、コース別入着率、枠番別コース取得率のうち少なくとも１つを含む、
請求項１記載の投票端末。
【請求項６】
前記制御部は、
前記入力受付部が受け付けた前記閲覧項目がコース別入着率である場合に、
前記投票参考情報に含まれる前年度のコース別入着率の情報から前記入力を受け付けた月日の前年同月同日が含まれる期間の情報を抽出し、
前記抽出した情報を前記情報閲覧画面に表示する指示を前記表示部に出す、
請求項４および請求項５記載の投票端末。
【請求項７】
入力受付部と表示部と制御部と記憶部とを備えた投票端末における情報表示方法であって、
前記入力受付部は、
投票の際に参考とする情報である投票参考情報を閲覧する選択の入力を受け付け、
前記投票参考情報を閲覧する場名である閲覧場名の入力を受け付け、
前記投票参考情報を閲覧する項目である閲覧項目の入力を受け付け、
前記制御部は、
前記投票参考情報を記憶部から読み出し、
前記閲覧場名で指定されたレース場について前記閲覧項目に基づき前記投票参考情報から情報を抽出し、
前記抽出した情報を情報閲覧画面に表示する指示を前記表示部に出し、
前記表示部は、
前記情報閲覧画面を表示する、
投票端末における情報表示方法。
【請求項８】
投票端末とホストコンピュータとを有する投票システムであって、
前記投票端末は、
投票の際に参考とする情報である投票参考情報を閲覧する選択の入力を受け付け、
前記投票参考情報を閲覧する場名である閲覧場名の入力を受け付け、
前記投票参考情報を閲覧する項目である閲覧項目の入力を受け付ける入力受付部と、
前記投票参考情報を記憶部から読み出し、
前記閲覧場名で指定されたレース場について前記閲覧項目に基づき前記投票参考情報から情報を抽出し、
前記抽出した情報を情報閲覧画面に表示する指示を表示部に出す制御部とを備え、
前記ホストコンピュータは、
前記投票参考情報を記憶した記憶部と、
前記投票端末に前記投票参考情報を送信する制御部とを備える、
投票システム。
【発明の詳細な説明】
【技術分野】
【０００１】
本発明は、投票端末、投票端末における情報表示方法および投票システムに関する。
【背景技術】
【０００２】
従来から、競馬、競輪、競艇、オートレース等の公営競技場やその場外投票券売場等に設置される投票券を発売または払戻しを行う投票端末がある。発券する投票券発売機や、的中した投票券を払い戻す払戻機およびその両方の機能を備えた投票端末（投票券発払機）が知られている。
【０００３】
投票端末を利用して投票する利用者（投票者）は、投票内容に応じてマークを記入した投票カードと現金とを投票端末に投入し、馬券等の投票券を購入することができる。また、利用者は、現金ではなく、チャージ金額等の記録を照合できるＩＣカード（Integrated Circuit カード）を利用して投票を行うこともできる。利用者は、投票カードに枠番（競技に応じて馬番、車番、艇番ともいう）、式別（賭式の種別）、購入金額等の投票内容を記入して投票券を購入する。
【０００４】
利用者が投票券を購入する場合に、投票カードに記載された複数式別／複数場名／複数レースの投票内容を検出し、投票券発行制御部により発券機構部を駆動し投票券を印刷発券する技術が知られている。
【先行技術文献】
【特許文献】
【０００５】
【特許文献１】特開平６−１８７３６４号公報
【発明の概要】
【発明が解決しようとする課題】
【０００６】
しかしながら、従来の投票端末においては、投票券の発売および払戻の機能を備えているが、利用者が投票券を購入するに際し検討するための情報を提供する機能が備えられていない。
【０００７】
また、レースが開催されるレース場である公営競技場（以下、公営競技場を場と記載する）においては、現地で開催されるレースについての情報を場に設置された大型表示装置で表示することにより、来場した利用者に対して情報提供している。しかし、大型表示装置で提供される情報は、大型表示装置が設置された場における情報に限られ、利用者が個別に閲覧を希望する情報を提供するものではない。
【０００８】
このため、投票券の購入に際し、利用者に対して更なる情報提供のサービスを向上することが望まれている。
一側面では、本発明は、投票に関する情報提供のサービスを向上できる投票端末、投票端末における情報表示方法および投票システムを提供することを目的とする。
【課題を解決するための手段】
【０００９】
上記目的を達成するために、以下に示すような投票端末を提供する。投票端末は、入力受付部と、制御部と、表示部と、記憶部とを備える。入力受付部は、投票の際に参考とする情報である投票参考情報を閲覧する選択の入力を受け付け、投票参考情報を閲覧するレース場を指定する閲覧場名の入力を受け付け、投票参考情報を閲覧する項目を指定する閲覧項目の入力を受け付ける。制御部は、投票参考情報を記憶部から読み出し、閲覧場名で指定されたレース場について閲覧項目に基づき投票参考情報から情報を抽出し、抽出した情報を情報閲覧画面に表示する指示を表示部に出す。
【発明の効果】
【００１０】
一態様によれば、投票に関する情報提供のサービスを向上できる投票端末、投票端末における情報表示方法および投票システムを提供できる。
【図面の簡単な説明】
【００１１】
【図１】第１の実施形態の投票端末の構成の一例を示す図である。
【図２】第２の実施形態の投票システムの構成の一例を示す図である。
【図３】第２の実施形態の投票端末のハードウェア構成の一例を示す図である。
【図４】第２の実施形態の投票システムの機能ブロックの一例を示す図である。
【図５】第２の実施形態の投票データの一例を示す図である。
【図６】第２の実施形態の投票カード（パターン１）の一例を示す図である。
【図７】第２の実施形態の投票券の一例を示す図である。
【図８】第２の実施形態の投票カード（パターン２）の一例を示す図である。
【図９】第２の実施形態の発券処理のフローチャートを示す図である。
【図１０】第２の実施形態の投票画面受付処理のフローチャートを示す図である。
【図１１】第２の実施形態の出走表レース場情報表示処理のフローチャートを示す図である。
【図１２】第２の実施形態の投票カード受付処理のフローチャートを示す図である。
【図１３】第２の実施形態の閲覧場選択画面の一例を示す図である。
【図１４】第２の実施形態の閲覧項目選択画面の一例を示す図である。
【図１５】第２の実施形態の情報閲覧画面の一例を示す図である。
【図１６】第２の実施形態の投票場選択画面の一例を示す図である。
【図１７】第２の実施形態の投票方法選択画面の一例を示す図である。
【発明を実施するための形態】
【００１２】
以下、図面を参照して実施の形態を詳細に説明する。
［第１の実施形態］
まず、第１の実施形態の投票端末の構成について図１を用いて説明する。図１は、第１の実施形態の投票端末の構成の一例を示す図である。
【００１３】
投票端末１は、入力受付部２と、制御部３と、表示部４と、記憶部７とを備え、公営競技における投票処理を行う。なお、投票端末１は、ホストコンピュータとネットワークを介して接続されているが、図示を省略する。以下の説明において、公営競技の一例として競艇を挙げて説明するが、それ以外の公営競技であってもよい。
【００１４】
投票端末１は、入力受付部２を介して投票内容を受け付け、又は、投入された投票カードに記入された投票内容を読み取り、投票内容に応じて投票券の発券またはレシートの発行等の投票処理を行う。また、投票端末１は、入力受付部２を介して受け付けた情報に基づき、表示部４に表示する指示を出す。
【００１５】
入力受付部２は、タッチパネルやキーボード等により利用者からの投票内容の入力を受け付ける機能や、投入された投票カードを読み取り投票内容の入力を受け付ける機能を備える。入力受付部２は、投票参考情報を閲覧する選択の入力を受け付け、投票参考情報を閲覧するレース場を指定する閲覧場名の入力を受け付け、投票参考情報を閲覧する項目を指定する閲覧項目の入力を受け付け、制御部３に出力する。
【００１６】
投票参考情報は、投票の際に参考とする情報である。投票参考情報は、レース場ごとの情報であり、出走表、水面図、コース別入着率、枠番別コース取得率のうち少なくとも１つを含む情報である。なお、投票参考情報は、レース名、レース開催日時、レース出欠場情報、投票の情報（賭式ごとの投票総数、投票券の払い戻し倍率等）のようなレースや投票に関する情報を含めた情報でもよい。投票参考情報は、制御部３によってホストコンピュータから受信され、記憶部７に格納される。
【００１７】
制御部３は、投票端末１を制御する機能を備える。制御部３は、ホストコンピュータから投票参考情報を受信し、記憶部７に記憶する指示を出す。制御部３は、閲覧場名で指定されたレース場について閲覧項目に基づき投票参考情報から情報を抽出し、抽出した情報を情報閲覧画面５に表示する指示を表示部４に出す。また、制御部３は、情報閲覧画面５を表示した後、投票内容の入力を受け付ける画面である投票画面６に遷移する指示を受け付け、投票画面６において閲覧場名を表示する指示を表示部４に出す。また、制御部３は、入力受付部２を介して投票内容を受け付け、投票内容に基づき投票データを生成しホストコンピュータへ送信する。
【００１８】
表示部４は、ディスプレイ等の表示装置であり、制御部３からの指示に応じて情報閲覧画面５や投票画面６を表示する。
このような構成の投票端末１の動作について説明する。投票端末１は、タッチパネル等の入力受付部２を介して利用者から投票参考情報を閲覧する選択の入力を受け付ける。また、入力受付部２は、閲覧場名と閲覧項目の入力を受け付ける。
【００１９】
ここで、閲覧場名として「Ａ場」と「Ｂ場」の２つのレース場の場名の入力を受け付け、閲覧項目として「出走表」の入力を受け付けた場合について説明する。制御部３は、投票参考情報から「Ａ場」についての「出走表」と「Ｂ場」についての「出走表」とを抽出し、抽出した情報（「Ａ場」「Ｂ場」それぞれの「出走表」）を情報閲覧画面５に表示する指示を表示部４に出す。また、制御部３は、入力を受け付けた日時において開催されるレースの出走表のみを抽出して情報閲覧画面５に表示できる。
【００２０】
また、閲覧場名として「Ａ場」と「Ｂ場」の２つのレース場の場名の入力を受け付け、閲覧項目として「コース別入着率」の入力を受け付け、入力を受け付けた年月日が２０１６年６月８日である場合について説明する。制御部３は、投票参考情報に含まれる前年度のコース別入着率の情報から入力を受け付けた年月日（２０１６年６月８日）の前年同月同日（２０１５年６月８日）が含まれる期間の情報を抽出し、抽出した情報を情報閲覧画面５に表示する指示を表示部４に出す。たとえば、コース別入着率のデータが季節別に集計されており、６月８日に投票端末１で入力の受け付けをした場合、前年の夏季のデータ（２０１５年６月〜８月に集計されたデータ）を抽出して情報閲覧画面５に表示する。
【００２１】
このように、投票端末１は、投票画面６を表示する前に、情報閲覧画面５に投票内容を検討するために利用者が閲覧する情報を表示できる。投票端末１に表示される情報閲覧画面５により、利用者は、投票する場名を選択する際の情報を取得しやすくなる。また、複数のレース場の情報を対応付けて表示することにより、利用者が来場したレース場だけでなく他のレース場についての投票券の販売の促進を図ることができる。
【００２２】
このように、投票に関する情報提供のサービスを向上できる投票端末、投票端末における情報表示方法および投票システムを提供できる。
［第２の実施形態］
次に、第２の実施形態の投票システムについて図２を用いて説明する。図２は、第２の実施形態の投票システムの構成の一例を示す図である。
【００２３】
投票システム１００は、投票端末３０と、ホストコンピュータ５０とがネットワーク４０を介して接続する構成を有する。なお、投票システム１００は、複数の投票端末３０や複数のホストコンピュータ５０を備えることができる。投票システム１００は、競馬、競輪、競艇、オートレース等の公営競技の投票を処理するシステムである。以下の説明において、公営競技の一例として競艇を挙げて説明するが、それ以外の公営競技であってもよい。
【００２４】
投票端末３０は、図１に示した投票端末１の一実施形態である。投票端末３０は、利用者から現金と投票カードを受け付け、投票券を販売する装置である。また、投票端末３０は、投票カードを投入される代わりにタッチパネル３０６を介して投票内容の入力を受け付けることで、投票券を販売することもできる。また、投票端末３０は、投票内容やチャージ金額等の記録を照合できるＩＣカードを利用して、キャッシュレスで投票を行うこともできる装置である。
【００２５】
投票端末３０は、投票カード出入口３０１と、硬貨出入口３０２と、投票券／レシート排出口３０３と、紙幣出入口３０４と、ディスプレイ３０５と、タッチパネル３０６と、ＩＣカード読取部３０７とを備える。ここでの説明は省略するが、投票端末３０は、払戻し機能を備えていてもよい。
【００２６】
投票カード出入口３０１は、利用者が投票したい内容を記入した投票カードの投入口である。なお、投票カード出入口３０１は、投票カードのマークに誤記（マークミス）がある場合に、投票カードを返却するための排出口としてもよい。
【００２７】
硬貨出入口３０２は、硬貨の投入口であり、返却する硬貨または釣銭の排出口でもある。投票券／レシート排出口３０３は、発券された投票券や、レシートの排出口である。なお、レシートは、ＩＣカードを利用してキャッシュレスで投票を行った場合に、投票券の発行ではなく購入の控えとして発行されるものである。
【００２８】
紙幣出入口３０４は、紙幣の投入口であり、返却する紙幣の排出口でもある。
ディスプレイ３０５は、タッチパネル３０６の下層に配置されており、操作案内、レース案内、投票カードの投票等の情報を表示する。タッチパネル３０６は、透過型のタッチパネルであり、各種の入力や投票内容の修正等の際に操作される。ディスプレイ３０５により表示された情報は、タッチパネル３０６を透過して、利用者から視認可能である。利用者は、ディスプレイ３０５により表示された情報を見ながら、タッチパネル３０６に対するタッチ操作を行うことができる。
【００２９】
ＩＣカード読取部３０７は、ＩＣカードから会員カード識別情報や残金等を含む情報を読み取る。なお、ＩＣカード読取部３０７は、接触型でも非接触型でもよい。
ホストコンピュータ５０は、システム全体を管理する管理装置であり、投票端末３０とネットワーク４０を介して通信を行う。ホストコンピュータ５０は、投票端末３０に対し、投票券の発券や投票券の払い戻し等を管理するとともに、配当金の計算等を行う。また、ホストコンピュータ５０は、投票端末３０からＩＣカードに格納された情報を受け取り、投票に必要な処理を行う。また、ホストコンピュータ５０は、投票端末３０に対し、各場の出走情報やレース場情報を送信する。
【００３０】
ネットワーク４０は、たとえば、ＬＡＮ（Local Area Network）、ＷＡＮ（Wide Area Network）、インターネット等のネットワーク、あるいは、それらが混在するネットワークである。ネットワーク４０は、有線ネットワークだけでなく、無線ネットワーク等も含む。
【００３１】
なお、現金を使用せずＩＣカードを利用して投票する場合、投票端末３０は、硬貨出入口３０２および紙幣出入口３０４を備えずともよい。
次に、第２の実施形態の投票端末のハードウェア構成について図３を用いて説明する。図３は、第２の実施形態の投票端末のハードウェア構成の一例を示す図である。
【００３２】
投票端末３０は、制御部３１０と、ディスプレイ３０５と、タッチパネル３０６と、紙幣還流ユニット３２１と、硬貨還流ユニット３２２と、投票券／レシート印刷ユニット３２３と、可搬型記録ユニット３２４と、投票カード読取ユニット３２５と、ＩＣカード読取ユニット３２６とを備える。
【００３３】
投票端末３０は、ＣＰＵ（Central Processing Unit）３１１によって装置全体が制御されている。ＣＰＵ３１１には、バス３１７を介してＲＡＭ（Random Access Memory）３１２と複数の周辺機器が接続されている。ＣＰＵ３１１は、マルチプロセッサであってもよい。ＣＰＵ３１１は、たとえば、ＭＰＵ（Micro Processing Unit）、ＤＳＰ（Digital Signal Processor）、ＡＳＩＣ（Application Specific Integrated Circuit）、またはＰＬＤ（Programmable Logic Device）であってもよい。またＣＰＵ３１１は、ＣＰＵ、ＭＰＵ、ＤＳＰ、ＡＳＩＣ、ＰＬＤのうちの２以上の要素の組み合せであってもよい。
【００３４】
ＲＡＭ３１２は、投票端末３０の主記憶装置として使用される。ＲＡＭ３１２には、ＣＰＵ３１１に実行させるＯＳ（Operating System）のプログラムやアプリケーションプログラムの少なくとも一部が一時的に格納される。また、ＲＡＭ３１２には、ＣＰＵ３１１による処理に必要な各種データが格納される。
【００３５】
バス３１７に接続されている周辺機器としては、ＨＤＤ（Hard Disk Drive）３１３、通信インタフェース３１４、グラフィック処理ユニット３１５、入出力インタフェース３１６がある。
【００３６】
ＨＤＤ３１３は、内蔵したディスクに対して、磁気的にデータの書き込みおよび読み出しを行う。ＨＤＤ３１３は、投票端末３０の補助記憶装置として使用される。ＨＤＤ３１３には、ＯＳのプログラム、アプリケーションプログラム、および各種データが格納される。なお、補助記憶装置としては、フラッシュメモリ等の半導体記憶装置を使用することもできる。
【００３７】
通信インタフェース３１４は、ネットワーク４０に接続されている。通信インタフェース３１４は、ネットワーク４０を介して、ホストコンピュータ５０等の機器との間でデータの送受信を行う。
【００３８】
グラフィック処理ユニット３１５には、ディスプレイ３０５が接続されている。グラフィック処理ユニット３１５は、ＣＰＵ３１１からの命令に従って、画像をディスプレイ３０５に表示させる。ディスプレイ３０５としては、ＣＲＴ（Cathode Ray Tube）を用いた表示装置や液晶表示装置等がある。
【００３９】
入出力インタフェース３１６には、タッチパネル３０６と、紙幣還流ユニット３２１と、硬貨還流ユニット３２２と、投票券／レシート印刷ユニット３２３と、可搬型記録ユニット３２４と、投票カード読取ユニット３２５、ＩＣカード読取ユニット３２６とが接続されている。また、入出力インタフェース３１６は、可搬型記録ユニット３２４に対する情報の書き込み及び読み出しが可能な可搬型記録媒体インタフェースと接続可能になっている。
【００４０】
入出力インタフェース３１６は、タッチパネル３０６、紙幣還流ユニット３２１、硬貨還流ユニット３２２、投票券／レシート印刷ユニット３２３、可搬型記録ユニット３２４、投票カード読取ユニット３２５、ＩＣカード読取ユニット３２６から送られてくる信号を、バス３１７を介してＣＰＵ３１１に送信する。また、入出力インタフェース３１６は、ＣＰＵ３１１から送られてくる制御信号を、バス３１７を介して対応するユニットへ送信する。
【００４１】
紙幣還流ユニット３２１は、紙幣の受け入れ、紙幣の真贋の鑑別、紙幣の収納、紙幣の返却、釣札の排出を行う。硬貨還流ユニット３２２は、硬貨の受け入れ、硬貨の真贋の鑑別、硬貨の収納、硬貨の返却、釣銭の排出を行う。投票券／レシート印刷ユニット３２３は、投票内容に基づき、投票券やレシートを印刷し発行する。
【００４２】
投票カード読取ユニット３２５は、投票カードから投票内容を読み取るユニットである。また、投票カード読取ユニット３２５は、投票カードの受け入れ、投票カードの排出を行う。
【００４３】
ＩＣカード読取ユニット３２６は、ＩＣカードから会員カード識別情報や残金等を含む情報を読み取るユニットである。
以上のようなハードウェア構成によって、第２の実施形態の処理機能を実現できる。なお、第１の実施形態に示した投票端末１も、図２に示した投票端末３０と同様のハードウェアにより実現できる。なお、ホストコンピュータ５０も図３に示した投票端末３０の制御部３１０と同様の構成とできる。
【００４４】
投票端末３０は、たとえば、読み取り可能な記録媒体に記録されたプログラムを実行することにより、第二の実施形態の処理機能を実現する。投票端末３０に実行させる処理内容を記述したプログラムは、様々な記録媒体に記録しておくことができる。たとえば、投票端末３０に実行させるプログラムをＨＤＤ３１３に格納しておくことができる。ＣＰＵ３１１は、ＨＤＤ３１３内のプログラムの少なくとも一部をＲＡＭ３１２にロードし、プログラムを実行する。また投票端末３０に実行させるプログラムを、光ディスク、メモリ装置、メモリカード等の可搬型記録ユニット３２４に記録しておくこともできる。可搬型記録媒体に格納されたプログラムは、たとえばＣＰＵ３１１からの制御により、ＨＤＤ３１３にインストールされた後、実行可能となる。またＣＰＵ３１１が、可搬型記録媒体から直接プログラムを読み出して実行することもできる。
【００４５】
なお、上記の構成は一例であり、投票端末３０の構成部の組み合せは適宜決定される。たとえば、現金を使用せずＩＣカードを利用して投票する場合、投票端末３０は、硬貨還流ユニット３２２および紙幣還流ユニット３２１を備えずともよい。
【００４６】
次に、第２の実施形態の投票システムの機能ブロックについて図４を用いて説明する。図４は、第２の実施形態の投票システムの機能ブロックの一例を示す図である。
図４は、投票システム１００の投票端末３０と、ホストコンピュータ５０とを示している。
【００４７】
投票端末３０は、カード読取判定部３１と、入力受付部３２と、記憶部３３と、表示部３４と、発券制御部３５と、通信部３６とを有する。
カード読取判定部３１は、入出力インタフェース３１６を介して投票カード読取ユニット３２５が読み取った投票カードに関する情報を取得し、発券制御部３５へ出力する。投票カードは、投票対象の会場、レース番号、式別（賭式の種別）、組番（艇番、枠番等、およびこれらの組合せ）、金額等の投票内容について、利用者によってマークが記入されるカードである。投票カードについては、図６および図７を用いて後で説明する。カード読取判定部３１は、投票カードから読み取った情報に基づき、投票カードにマークミス（投票カードの誤記や、投票カードで読み取りできない部分等の不確定部分）があるか否かを判定する。カード読取判定部３１は、判定した結果を発券制御部３５に出力する。
【００４８】
入力受付部３２は、入出力インタフェース３１６を介して利用者がタッチパネル３０６を用いて入力した情報を受け付ける。入力受付部３２は、利用者から投票内容や閲覧を望む情報の選択を受け付け、発券制御部３５に出力する。
【００４９】
記憶部３３は、通信部３６を介してホストコンピュータ５０から取得した出走情報やレース場情報、カード読取判定部３１が読み取った情報、入力受付部３２が受け付けた情報、投票券の発券に用いる情報等をＨＤＤ３１３に記憶する。なお、記憶部３３は、ＨＤＤ３１３に情報を記憶するだけでなく、投票端末３０がアクセス可能な各種記憶装置に情報を記憶することができる。
【００５０】
表示部３４は、グラフィック処理ユニット３１５を介して、各種情報をディスプレイ３５０に表示する。たとえば、表示部３４は、発券制御部３５に従って、カード読取判定部３１で判定した結果や、ホストコンピュータ５０から取得して記憶部３３に格納された情報や、投票に必要な情報や利用者が閲覧を希望した情報をディスプレイ３０５に表示する。
【００５１】
発券制御部３５は、カード読取判定部３１から取得した情報や入力受付部３２から取得した情報に基づいて、投票券やレシートの発券の制御を行う。発券制御部３５は、ホストコンピュータ５０から適宜情報を取得し、発券のために用いることができる。また、発券制御部３５は、カード読取判定部３１から取得した情報、入力受付部３２から取得した情報、記憶部３３に格納した情報等に基づいて、表示部３４の表示内容を制御する。また、発券制御部３５は、カード読取判定部３１が読み取った情報や、入力受付部３２が受け付けた情報に基づき、投票データを生成する。
【００５２】
通信部３６は、ネットワーク４０を介してホストコンピュータ５０との間で情報交換を行う。通信部３６は、発券制御部３５に従ってホストコンピュータ５０から出走情報やレース場情報を受信する。通信部３６は、発券制御部３５に従ってホストコンピュータ５０に投票データや発券制御部３５が発券した投票券の発券情報を送信する。
【００５３】
ホストコンピュータ５０は、通信部５１と、制御部５２と、記憶部５３とを有する。通信部５１は、ネットワーク４０を介して投票端末３０との間で情報交換を行う。通信部５１は、制御部５２に従い、ホストコンピュータ５０が取得した出走情報やレース場情報を投票端末３０へ送信する。通信部５１は、制御部５２に従い、投票端末３０から情報取得要求、投票データ、発券情報等を受信する。
【００５４】
制御部５２は、通信部５１に対して情報を送受信する制御ができる。また、制御部５２は、必要に応じて、出走情報やレース場情報を他のコンピュータやデータベース等から取得できる。また、制御部５２は、記憶部５３に情報を記憶する制御ができる。なお、制御部５２は、投票端末３０からの要求に応じて、出走情報やレース場情報から特定の項目を抽出する機能を備え、投票端末３０に抽出した情報を送信してもよい。
【００５５】
記憶部５３は、制御部５２に従って、出走情報やレース場情報や投票データや発券情報等各種情報をホストコンピュータ５０が備える記憶装置に記憶する。
なお、以上のような機能ブロックの構成は一例であり、構成の組み合せは適宜決定される。たとえば、発券制御部３５とカード読取判定部３１とをまとめ、１つの制御部として構成してもよい。
【００５６】
次に、第２の実施形態の投票データについて図５を用いて説明する。図５は、第２の実施形態の投票データの一例を示す図である。
投票データ２００は、投票端末３０において利用者が投票券を購入するために入力した投票内容に基づき投票端末３０が生成したデータであり、ホストコンピュータ５０へ送信するデータである。利用者が投票カードに投票内容を記入して投票券を購入する場合、投票データ２００は、カード読取判定部３１が投票カードから読み取った投票内容に基づくデータである。また、利用者がタッチパネル３０６を用いて投票内容を入力して投票券を購入する場合、投票データ２００は、入力受付部３２が受け付けた投票内容に基づくデータである。
【００５７】
投票データ２００は、場流しフラグ、１以上の場名、式別、レース番号、１以上の投票艇番および金額を含む。
場流しフラグは、複数の場に対して投票するか否かを示すフラグである。利用者が複数の場に投票する場合、投票端末３０によって場流しフラグに「１」が設定される。なお、場流しフラグの初期値として「０」が設定されているものとする。
【００５８】
場名は、投票する場の名称である。なお、場名は、投票する場を識別するための情報であり、場を識別できる番号等であってもよい。利用者が複数の場に投票する場合、複数の場名が投票端末３０によって設定される。また、利用者が１つの場に投票する場合、１つの場名が投票端末３０によって設定される。
【００５９】
式別は、投票する賭式の種別であり、たとえば、単勝、複勝、２連単、２連複、拡連複、３連単、３連複等がある。なお、式別は、式別の名称でなく、式別を識別できる番号等であってもよい。
【００６０】
レース番号は、投票するレースの番号である。競艇の場合、投票対象は出走艇（以下、単に艇と記載する。）であり、それぞれの艇には、投票対象の番号として艇番が設定されている。
【００６１】
投票艇番は、投票する艇の番号である。投票艇番は、式別に応じて組み合せた番号である。たとえば、式別が「単勝」である場合、投票艇番は「１」のように１つの艇番が設定される。また、式別が「３連単」である場合、投票艇番は「１−２−３」のように３つの艇番の組み合せとなる。金額は、投票する金額であり、投票艇番に対応して金額が設定される。
【００６２】
次に、第２の実施形態の投票カードについて図６を用いて説明する。図６は、第２の実施形態の投票カード（パターン１）の一例を示す図である。
投票カード（パターン１）６００は、マークシート方式で記入するカードであり、艇番等の投票に必要な事項をマークし、投票するために用いられる。以下、投票カード（パターン１）６００を投票カード６００と記載する。投票カード６００は、投票内容が記入され、投票端末３０に投入されて投票を行うカードである。
【００６３】
投票カード６００は、「流し」または「ボックス」で投票する場合に用いるカードである。流しとは、１艇又は２艇を固定し、他の艇番を組み合せて投票する方法である。ボックスとは、選んだ複数の艇について、全ての組み合せに投票する方法である。
【００６４】
投票カード６００は、前日発売６１０、レース番号６１１、式別６１２、開催場６２０、流し投票６３０、ボックス投票６４０の項目を含む。各項目は、投票内容に応じてマークが記入される。
【００６５】
前日発売６１０は、前日や前々日から投票券を購入する場合にマークする項目である。レース番号６１１は、投票対象のレースの番号にマークする項目である。式別６１２は、投票する式別（２連単、２連複、拡連複、３連単、３連複）にマークする項目である。
【００６６】
開催場６２０は、投票対象のレースが行われる場を示す項目であり、複数場購入６２１と場名６２２の項目を含む。複数場購入６２１は、複数の場に投票する場合にマークする項目であり、１つの場のみに投票する場合にはマークをしない項目である。場名６２２は、投票対象のレースが行われる場をマークする項目である。
【００６７】
流し投票６３０は、流しで投票する場合にマークする項目を含む欄である。２連／拡連指定６３１は、「２連単」で投票する場合は１・２着の艇番を着順通りにマークする項目であり、「２連複」で投票する場合は１・２着の艇番をマークする項目であり、「拡連複」で投票する場合は１〜３着までの２艇の艇番をマークする項目である。
【００６８】
３連指定６３２は、「３連単」で投票する場合は１・２・３着の艇番を着順通りにマークする項目であり、「３連複」で投票する場合は１・２・３着の艇番をマークする項目である。
【００６９】
金額６３３と単位６３４は、投票券を購入したい金額をマークする項目である。たとえば、１５００円の投票券を購入する場合、金額６３３で「１０」と「５」をマークし、単位６３４で「百」をマークする。
【００７０】
取消６３５は、その行に記入されたものはすべて無効とする場合にマークする項目である。たとえば、取消６３５をマークした場合、流し投票６３０に含まれる項目でマークミスをしていても、取り消し処理が行われるため、マークミスか否かの判定はされない。また、取消６３５をマークした場合、流し投票６３０に含まれる項目に記入した内容の投票券は発行されない。
【００７１】
ボックス投票６４０は、ボックスで投票する場合にマークする項目を含む欄である。枠番６４１は、ボックス投票において投票する艇番をマークする項目である。金額６４２，単位６４３，取消６４４は、金額６３３，単位６３４，取消６３５と同様であるため、説明を省略する。
【００７２】
ここで、投票カード６００を用いて投票券を購入する場合の具体例について説明する。式別６１２「３連単」について、流し投票６３０の投票をするものとする。流し投票６３０において、１着の艇番「１」、２着の艇番「２」、３着の艇番「３」「４」「５」にマークされた場合、投票内容は、「１−２−３」，「１−２−４」，「１−２−５」となる。さらに、複数場購入６２１がマークされ、場名６２２で「Ａ」，「Ｂ」２場がマークされた場合、Ａ場について「１−２−３」，「１−２−４」，「１−２−５」、Ｂ場について「１−２−３」，「１−２−４」，「１−２−５」に投票することとなる。金額６３３において「２」がマークされ、単位６３４において「百」がマークされた場合、投票対象に対し百円投票券を２枚ずつ購入することとなる。このように投票し、購入した投票券の一例について、図７で図示する。
【００７３】
次に、第２の実施形態の投票券について図７を用いて説明する。図７は、第２の実施形態の投票券の一例を示す図である。
投票券９００は、Ａ場，Ｂ場について３連単流し「１−２−３」，「１−２−４」，「１−２−５」で、百円投票券を２枚ずつ購入した場合の投票券の一例である。投票券９００は、ボートレースの開催年月日、投票対象のレース番号、投票する場名、投票する式別、投票する艇番、投票券の枚数、合計金額等が印刷される。
【００７４】
Ａ場について３連単流し「１−２−３」，「１−２−４」，「１−２−５」の組番に対し百円投票券を２枚ずつ購入しているため、Ａ場について購入した投票券は６枚となる。また、Ｂ場について３連単流し「１−２−３」，「１−２−４」，「１−２−５」の組番に対し百円投票券を２枚ずつ購入しているため、Ｂ場について購入した投票券は６枚となる。こうして、投票券の合計枚数は１２枚であり、合計金額は１２００円となる。
【００７５】
なお、投票券９００は一例に過ぎず、投票端末３０は、レシート等によって投票の控えを出力することもできる。
次に、第２の実施形態の投票カード（パターン２）について図８を用いて説明する。図８は、第２の実施形態の投票カード（パターン２）の一例を示す図である。
【００７６】
投票カード（パターン２）７００は、マークシート方式で記入するカードであり、艇番等の投票に必要な事項をマークし、投票するために用いられる。以下、投票カード（パターン２）７００を投票カード７００と記載する。投票カード７００は、投票内容が記入され、投票端末３０に投入されて投票を行うカードである。
【００７７】
投票カード７００は、式別７１２，７１３でマークした式別について、投票する艇番を１つずつマークして投票するカードである。このため、投票カード７００においては、投票カード６００と異なり、流し投票やボックス投票の項目は無い。投票カード７００において、投票カード６００と同様の点については適宜説明を省略する。
【００７８】
投票カード７００は、前日発売７１０、レース番号７１１、式別７１２，７１３、開催場７２０、複数場購入７２１、場名７２２、２連／拡連指定７１４、３連指定７１５、金額７１６、単位７１７、取消７１８の項目を含む。各項目は、投票内容に応じてマークが記入される。
【００７９】
ここで、投票カード７００を用いて投票券を購入する場合の具体例について説明する。式別７１２「３連単」について投票をするものとする。式別７１２の横一列の項目（１着、２着、３着、金額、単位、取消）で、１つの組番に対し投票する内容をマークする。たとえば、式別７１２で「３連単」がマークされ、１着の艇番「１」、２着の艇番「２」、３着の艇番「３」にマークされた場合、投票内容は、「３連単」で「１−２−３」となる。さらに、複数場購入７２１がマークされ、場名７２２で「Ａ」，「Ｂ」２場がマークされた場合、Ａ場について「３連単」「１−２−３」、Ｂ場について「３連単」「１−２−３」に投票することとなる。金額７１６において「２」がマークされ、単位７１７において「百」がマークされた場合、投票対象に対し百円投票券を２枚ずつ購入することとなる。
【００８０】
次に、第２の実施形態の発券処理について図９を用いて説明する。図９は、第２の実施形態の発券処理のフローチャートを示す図である。
発券処理は、投票端末３０が、利用者から現金（又はＩＣカード）を受け付け、投票カード又はタッチパネル３０６からの入力に基づき投票券を発券する処理である。投票端末３０の発券制御部３５は、利用者から投票券を購入する指示を受け、発券処理を制御する。
【００８１】
投票端末３０は、紙幣出入口３０４、硬貨出入口３０２から投票券の購入代金が入金され、処理を開始する。なお、ＩＣカードを用いた投票を行う場合、投票端末３０は、ＩＣカード読取部３０７からＩＣカードの情報を取得し、必要に応じてホストコンピュータ５０へアクセスしチャージ金額等の情報を取得し、処理を開始する。
【００８２】
［ステップＳ１１］発券制御部３５は、紙幣還流ユニット３２１、硬貨還流ユニット３２２を介して入金を検知し、入金受付を行う。発券制御部３５は、検知された入金金額等の情報を一時記憶領域に保存する指示を出す。
【００８３】
なお、ＩＣカードを用いた投票を行う場合、発券制御部３５は、ＩＣカード読取ユニット３２６を介してＩＣカードの情報を取得する。ＩＣカードの情報からＩＣカードにチャージされた金額情報を取得できる場合、金額情報を取得しＩＣカード受付を行う。なお、ＩＣカードの情報にＩＣカードにチャージされた金額情報が含まれていない場合、通信インタフェース３１４を介してホストコンピュータ５０へアクセスし、金額情報を取得しＩＣカード受付を行う。発券制御部３５は、取得した金額情報等の情報を一時記憶領域に保存する指示を出す。
【００８４】
［ステップＳ１２］発券制御部３５は、投票カードで投票するかタッチパネル３０６で入力して投票するかを利用者に選択させる入力選択画面を表示部３４へ出力する指示を出す。発券制御部３５から指示を受けた表示部３４は、ディスプレイ３０５に対して入力選択画面を表示させる。
【００８５】
たとえば、入力選択画面は「投票カードで投票する場合“投票カードボタン”を押下して下さい。タッチパネル入力で投票する場合“タッチパネルボタン”を押下して下さい。」という内容を表示できる。利用者は、ディスプレイ３０５に表示された入力選択画面を確認し、投票カードボタン又はタッチパネルボタンのいずれかを押下しタッチパネル３０６を介して入力の選択ができる。
【００８６】
［ステップＳ１３］発券制御部３５は、投票カードで投票するか、タッチパネル３０６の入力で投票するかの選択についてタッチパネル３０６を介して受け付け、投票カードで投票を受け付けるか否かを判定する。発券制御部３５は、投票カードで投票を受け付けない場合、言い換えると、投票内容をタッチパネル３０６で受け付ける場合はステップＳ１４にすすみ、投票カードで投票を受け付ける場合はステップＳ１５にすすむ。
【００８７】
［ステップＳ１４］発券制御部３５は、投票画面受付処理を実行する。投票画面受付処理は、投票に関する情報をディスプレイ３０５に表示し、投票内容についてタッチパネル３０６を介して受け付ける処理である。投票画面受付処理は、図１０を用いて後で説明する。
【００８８】
［ステップＳ１５］発券制御部３５は、投票カード受付処理を実行する。投票カード受付処理は、投票カード出入口３０１に投入された投票カードを読み取り、投票を受け付ける処理である。投票カード受付処理は、図１２を用いて後で説明する。
【００８９】
［ステップＳ１６］発券制御部３５は、投票画面受付処理又は投票カード受付処理で受け付けた投票内容を表示部３４へ出力し、投票内容を確認する画面である投票内容確認画面を表示する指示を出す。発券制御部３５から指示を受けた表示部３４は、ディスプレイ３０５に対して、グラフィック処理ユニット３１５を介して投票内容確認画面を表示させる。
【００９０】
［ステップＳ１７］発券制御部３５は、投票カードから読み取った情報又はタッチパネル３０６で受け付けた情報に基づき、投票券を発行する。なお、ＩＣカードを用いた投票を行う場合、発券制御部３５は、投票内容を印刷したレシートを発行する。
【００９１】
投票券（又はレシート）は、投票券／レシート印刷ユニット３２３で印刷され、投票券／レシート排出口３０３より排出される。発券制御部３５は、利用者が投票券（又はレシート）を受け取ったことを検出し、ステップＳ１８にすすむ。
【００９２】
［ステップＳ１８］発券制御部３５は、投票カードから読み取った投票内容又はタッチパネル３０６で受け付けた投票内容に基づき投票データ２００を生成し、投票データ２００をホストコンピュータ５０に送信する。発券制御部３５が送信した情報は、ホストコンピュータ５０において投票に関する情報収集や売り上げの集計等に用いることができる。
【００９３】
［ステップＳ１９］発券制御部３５は、発券した投票券に応じた金額をステップＳ１１で受け付けた入金金額から引き、残金を算出する。発券制御部３５は、残金があるか否かを判定し、残金があるときは、ディスプレイ３０５にその旨を表示し硬貨出入口３０２と紙幣出入口３０４を介して残金を排出し、処理を終了する。
【００９４】
なお、ＩＣカードを用いた投票を行う場合、発券制御部３５は、ＩＣカードのチャージ金額の残金をディスプレイ３０５に表示し、発券処理を終了する。
次に、第２の実施形態の投票画面受付処理について図１０を用いて説明する。図１０は、第２の実施形態の投票画面受付処理のフローチャートを示す図である。
【００９５】
投票画面受付処理は、投票に関する情報をディスプレイ３０５に表示し、投票内容をタッチパネル３０６で受け付ける処理である。投票画面受付処理は、発券処理のステップＳ１４で投票端末３０の発券制御部３５が実行する処理である。
【００９６】
［ステップＳ２１］発券制御部３５は、投票前に出走表や各場情報の閲覧について要否を確認する閲覧要否確認画面を表示する。
たとえば、閲覧要否確認画面は「投票前に出走表や各場の情報を閲覧する場合“閲覧ボタン”を押下して下さい。情報を閲覧しない場合“不要ボタン”を押下して下さい。」という内容を表示できる。利用者は、ディスプレイ３０５に表示された閲覧要否確認画面を確認し、閲覧ボタン又は不要ボタンのいずれかを押下しタッチパネル３０６を介して入力の選択ができる。
【００９７】
［ステップＳ２２］発券制御部３５は、出走表や各場情報を閲覧するか否かの選択についてタッチパネル３０６を介して受け付け、閲覧するか否かを判定する。発券制御部３５は、閲覧する場合はステップＳ２３にすすみ、閲覧しない場合はステップＳ２４にすすむ。
【００９８】
［ステップＳ２３］発券制御部３５は、出走表レース場情報表示処理を実行する。出走表レース場情報表示処理は、１以上の出走表やレース場情報をディスプレイ３０５に表示する処理である。発券制御部３５は、投票を受け付ける前に出走表やレース場情報を表示することにより、利用者に対し投票内容を決定するための参考情報を提供できる。出走表レース場情報表示処理は、図１１を用いて後で説明する。
【００９９】
［ステップＳ２４］発券制御部３５は、場名を表示部３４へ出力し、投票する場名を選択する投票場選択画面を表示する指示を表示部３４に出す。発券制御部３５から指示を受けた表示部３４は、グラフィック処理ユニット３１５を介して投票場選択画面をディスプレイ３０５に表示させる。
【０１００】
なお、出走表レース場情報表示処理を実行した場合、発券制御部３５は、出走表レース場情報表示処理で情報を閲覧した場名を画面に表示できる。出走表レース場情報表示処理で情報を閲覧した場名が画面に表示されることで、発券制御部３５は、利用者に対し投票対象とする場名を選択する際の参考情報を提供できる。投票場選択画面は、後で図１６を用いて説明する。
【０１０１】
［ステップＳ２５］発券制御部３５は、投票券を場流しで購入するか否かを判定する。具体的には、発券制御部３５は、投票場選択画面において利用者が複数場を選択した場合は場流しで購入すると判定し、１つの場のみを選択した場合は場流しで購入しないと判定する。
【０１０２】
発券制御部３５は、場流しで投票を受け付けない場合はステップＳ２６にすすみ、場流しで投票を受け付ける場合はステップＳ２７にすすむ。
［ステップＳ２６］発券制御部３５は、投票データ２００にステップＳ２５で受け付けた場名を設定する。
【０１０３】
［ステップＳ２７］発券制御部３５は、投票データ２００に場流しフラグ「１」を設定し、ステップＳ２５で受け付けた複数の場名を設定する。
［ステップＳ２８］発券制御部３５は、記憶部３３に対し、ステップＳ２６又はステップＳ２７で選択された場を選択場名リストに記憶する指示を出す。
【０１０４】
選択場名リストは、利用者が投票する選択をした場の場名を記憶する情報であり、投票端末３０が備える記憶装置に記憶される。選択場名リストは、投票方法選択画面等において、投票対象として選択された場名を表示する際に用いられる情報である。選択場名リストの初期状態は、空のリストである。選択場名リストは、投票画面受付処理の終了の際に初期化される。
【０１０５】
［ステップＳ２９］発券制御部３５は、投票方法（賭式、流し、ボックス等）の選択を受け付ける。たとえば、発券制御部３５は、賭式を表示部３４へ出力し、投票する賭式を選択する投票方法選択画面を表示する指示を表示部３４に出す。発券制御部３５から指示を受けた表示部３４は、グラフィック処理ユニット３１５を介して投票方法選択画面をディスプレイ３０５に表示させる。発券制御部３５は、入力受付部３２から、タッチパネル３０６を介して利用者が選択した賭式を受け付ける。投票方法選択画面は、後で図１７を用いて説明する。
【０１０６】
［ステップＳ３０］発券制御部３５は、レース番号の選択を受け付ける。たとえば、発券制御部３５は、現在実施されているレース番号を表示部３４へ出力し、投票するレース番号を選択する画面を表示する指示を表示部３４に出す。発券制御部３５から指示を受けた表示部３４は、グラフィック処理ユニット３１５を介してレース番号を選択する画面をディスプレイ３０５に表示させる。発券制御部３５は、入力受付部３２から、タッチパネル３０６を介して利用者が選択したレース番号を受け付ける。
【０１０７】
［ステップＳ３１］発券制御部３５は、艇番および着順の選択を受け付ける。発券制御部３５は、予め記憶部３３に記憶された投票方法に応じた艇番および着順の選択画面のひな形を記憶部３３から読み出し、表示部３４に表示する指示を出す。たとえば、ステップＳ２８で選択された賭式が「３連単」である場合、発券制御部３５は、１着・２着・３着の艇番を選択する画面を表示する指示を表示部３４に出す。発券制御部３５から指示を受けた表示部３４は、グラフィック処理ユニット３１５を介して１着・２着・３着の艇番を選択する画面をディスプレイ３０５に表示させる。発券制御部３５は、入力受付部３２から、タッチパネル３０６を介して利用者が選択した艇番および着順を受け付ける。
【０１０８】
［ステップＳ３２］発券制御部３５は、購入金額を受け付ける。たとえば、発券制御部３５は、ステップＳ１１で受け付けた現金の金額（又はＩＣカードにチャージされた金額）を表示部３４へ出力し、投票券の購入金額を選択する画面を表示する指示を表示部３４に出す。発券制御部３５から指示を受けた表示部３４は、グラフィック処理ユニット３１５を介して購入金額を選択する画面をディスプレイ３０５に表示させる。発券制御部３５は、入力受付部３２から、タッチパネル３０６を介して利用者が選択した購入金額を受け付ける。
【０１０９】
なお、発券制御部３５は、購入金額に対してステップＳ１１で受け付けた現金の金額（又はＩＣカードにチャージされた金額）が不足している場合、不足金額の追加投入や購入金額訂正等を画面に表示する指示を表示部３４に出す。不足金額が追加投入された場合、発券制御部３５は、紙幣還流ユニット３２１、硬貨還流ユニット３２２を介して受け付けることが可能である。また、発券制御部３５は、購入金額の訂正についてタッチパネルを介して受け付けることも可能である。
【０１１０】
［ステップＳ３３］発券制御部３５は、ステップＳ２９〜Ｓ３２で受け付けた投票方法、レース番号、艇番および着順、購入金額を投票データ２００に設定し、投票画面受付処理を終了する。
【０１１１】
次に、第２の実施形態の出走表レース場情報表示処理について図１１を用いて説明する。図１１は、第２の実施形態の出走表レース場情報表示処理のフローチャートを示す図である。
【０１１２】
出走表レース場情報表示処理は、１以上の出走表やレース場情報をディスプレイ３０５に表示する処理である。発券制御部３５は、投票を受け付ける前に出走表やレース場情報を表示することにより、利用者に対し投票内容を決定するための参考情報を提供できる。出走表レース場情報表示処理は、投票画面受付処理のステップＳ２３で投票端末３０の発券制御部３５が実行する処理である。
【０１１３】
［ステップＳ４１］発券制御部３５は、ホストコンピュータ５０から出走表およびレース場情報を取得する。
レース場情報には、レース場のスケジュール、レース場で開催されるレースのグレード、コース別入着率および決まり手、枠番別コース取得率、季節別コース取得率、水面図、等の各種の情報が含まれる。
【０１１４】
［ステップＳ４２］発券制御部３５は、現在レースが実施されている場の場名を表示部３４へ出力し、情報を閲覧する場を利用者に選択させる閲覧場選択画面を表示する指示を表示部３４に出す。発券制御部３５から指示を受けた表示部３４は、グラフィック処理ユニット３１５を介して閲覧場選択画面をディスプレイ３０５に表示させる。閲覧場選択画面は、後で図１３を用いて説明する。
【０１１５】
［ステップＳ４３］発券制御部３５は、入力受付部３２から、タッチパネル３０６を介して利用者が選択した場を受け付ける。なお、発券制御部３５は、複数の場を受け付けることができる。
【０１１６】
［ステップＳ４４］発券制御部３５は、記憶部３３に対し、ステップＳ４３で選択された場を閲覧リストに記憶する指示を出す。なお、発券制御部３５は、ステップＳ４３で複数の場を受け付けた場合、複数の場を閲覧リストに記憶する指示を出す。
【０１１７】
閲覧リストは、利用者が情報を閲覧する選択をした場の場名や閲覧した情報を記憶する情報であり、投票端末３０が備える記憶装置に記憶される。閲覧リストは、閲覧項目選択画面や投票場選択画面等において閲覧した場名等を表示する際の情報として用いられる情報である。閲覧リストの初期状態は、空のリストである。閲覧リストは、投票画面受付処理の終了の際に初期化される。
【０１１８】
［ステップＳ４５］発券制御部３５は、閲覧項目を表示部３４へ出力し、閲覧項目を利用者に選択させる閲覧項目選択画面を表示する指示を表示部３４に出す。発券制御部３５から指示を受けた表示部３は、グラフィック処理ユニット３１５を介して閲覧項目選択画面をディスプレイ３０５に表示させる。
【０１１９】
閲覧項目とは、ステップＳ４３で選択された場について利用者に閲覧させる情報の項目である。閲覧項目の具体例として、出走表、今季コース別入着率、枠番別コース取得率等がある。また、発券制御部３５は、閲覧項目を利用者に指定させる指定項目（選手名、選手の級別、グレード別開催場一覧表等）を含むプルダウンメニューを表示し、入力受付部３２からタッチパネル３０６を介して利用者から指定項目を受け付けることもできる。閲覧項目は、予め記憶部３３に記憶された情報であってもよいし、ホストコンピュータ５０から取得したレース場情報に基づいて発券制御部３５が抽出し記憶部３３に記憶した情報であってもよい。閲覧項目選択画面は、後で図１４を用いて説明する。
【０１２０】
［ステップＳ４６］発券制御部３５は、入力受付部３２から、タッチパネル３０６を介して利用者が選択した閲覧項目を受け付ける。また、発券制御部３５は、記憶部３３に対し、選択された閲覧項目を閲覧リストに記憶する指示を出す。発券制御部３５は、閲覧項目が出走表の場合にステップＳ４７にすすみ、閲覧項目がレース場情報の場合にステップＳ４８にすすみ、閲覧項目が指定項目の場合にステップＳ４９にすすむ。
【０１２１】
なお、複数の閲覧項目の選択を受け付けた場合、発券制御部３５は、選択された閲覧項目に応じてステップＳ４７〜Ｓ４９を順に実行してもよい。たとえば、出走表とレース場情報の選択を受け付けた場合、発券制御部３５は、ステップ４７を実行した後にステップＳ４８を実行してもよい。
【０１２２】
［ステップＳ４７］発券制御部３５は、選択された場の出走表を情報閲覧画面に表示する指示を表示部３４に出す。情報閲覧画面とは、ステップＳ４６で受け付けた閲覧項目について表示する画面である。発券制御部３５から指示を受けた表示部３４は、グラフィック処理ユニット３１５を介して出走表をディスプレイ３０５に表示させる。
【０１２３】
たとえば、発券制御部３５が、ステップＳ４３でＡ場およびＢ場の選択を受け付け、ステップＳ４６で出走表を受け付けた場合について説明する。発券制御部３５は、Ａ場の出走表とＢ場の出走表とを対応付けた情報閲覧画面をディスプレイ３０５に表示させる。また、発券制御部３５は、利用者からタッチパネル３０６を介して選択を受け付けた日時において開催されているレースの出走表のみを抽出して情報閲覧画面に表示するよう指示を出すことができる。
【０１２４】
［ステップＳ４８］発券制御部３５は、選択された場のレース場情報を情報閲覧画面に表示する指示を表示部３４に出す。発券制御部３５から指示を受けた表示部３４は、グラフィック処理ユニット３１５を介して情報閲覧画面をディスプレイ３０５に表示させる。
【０１２５】
なお、発券制御部３５は、レース場情報から抽出した情報を情報閲覧画面に表示できる。たとえば、発券制御部３５は、利用者が投票端末３０を操作した年月日において開催されるレースのスケジュールや、昨年の同月又は同季節におけるコース別入着率等の情報をレース場情報から抽出し表示できる。レース場情報に基づく情報閲覧画面の一例について、後で図１５を用いて説明する。
【０１２６】
［ステップＳ４９］発券制御部３５は、利用者に選択された指定項目を情報閲覧画面に表示する指示を表示部３４に出す。発券制御部３５から指示を受けた表示部３４は、グラフィック処理ユニット３１５を介して利用者に指定された項目をディスプレイ３０５に表示させる。
【０１２７】
なお、発券制御部３５は、出走表又はレース場情報から指定項目に関連する情報を抽出し、情報閲覧画面に表示できる。たとえば、指定項目として選手名を受け付けた場合、発券制御部３５は、選手名で指定された選手が出走するレースの出走表を抽出して表示できる。
【０１２８】
［ステップＳ５０］発券制御部３５は、入力受付部３２からタッチパネル３０６を介して利用者から画面遷移の指示を受け付ける。具体的には、発券制御部３５は、別な情報を閲覧する指示又は投票にすすむ指示のいずれかの指示を受け付ける。発券制御部３５は、別な情報を閲覧する指示を受け付けた場合はステップＳ４２にもどり、投票にすすむ指示を受け付けた場合は出走表レース場情報表示処理を終了する。
【０１２９】
次に、第２の実施形態の投票カード受付処理について図１２を用いて説明する。図１２は、第２の実施形態の投票カード受付処理のフローチャートを示す図である。
投票カード受付処理は、投票カード出入口３０１に投入された投票カードを読み取り、投票を受け付ける処理である。投票カード受付処理は、発券処理のステップＳ１５で投票端末３０の発券制御部３５が実行する処理である。
【０１３０】
［ステップＳ６１］発券制御部３５は、カード読取判定部３１を介し、投票カード読取ユニット３２５に対し投票カード出入口３０１に投入された投票カードを読み取る指示をする。カード読取判定部３１が読み取った情報は、発券制御部３５へ通知する。なお、投票カードを読み取り取得する情報とは、投票カードの項目、項目に対応したマーク欄、投票カードに記入されたマーク等を含む。
【０１３１】
［ステップＳ６２］発券制御部３５は、カード読取判定部３１が読み取った情報に基づき、投票カードに記入された内容について誤りが有るか否かを判定する。
発券制御部３５は、投票カードに記入の誤りが有る場合はステップＳ６３にすすみ、投票カードに記入の誤りが無い場合はステップＳ６５にすすむ。
【０１３２】
［ステップＳ６３］発券制御部３５は、投票カードに誤記がある旨を表示する指示を表示部３４に出す。発券制御部３５から指示を受けた表示部３４は、グラフィック処理ユニット３１５を介して投票カードに誤記がある旨をディスプレイ３０５に表示させる。
【０１３３】
発券制御部３５は、記入内容に不整合がある場合、投票カードに誤りがあると判定できる。たとえば、式別「３連単」にマークが記入され、１着と２着の艇番のみマークが記入されており、３着の艇番にマークが記入されていない場合、発券制御部３５は、投票カードの記入に誤りが有ると判定できる。また、投票カードの複数場購入の欄にマークが記入され、場名に複数の場名を選択するマークが記入されていない場合、発券制御部３５は、投票カードの記入に誤りが有ると判定できる。
【０１３４】
［ステップＳ６４］発券制御部３５は、入出力インタフェース３１６を介して投票カード出入口３０１から投票カードを排出する指示を出し、利用者に投票カードを返却し、ステップＳ１９にすすむ。
【０１３５】
［ステップＳ６５］発券制御部３５は、カード読取判定部３１を介して投票カードの複数場購入の欄にマークが記入されているか否かを判定する。
発券制御部３５は、複数場購入の欄にマークが記入されていない場合はステップＳ６６にすすみ、記入されている場合はステップＳ６８にすすむ。
【０１３６】
［ステップＳ６６］発券制御部３５は、カード読取判定部３１を介して投票カードの場名の欄にマークが記入された場名を読み取る。
［ステップＳ６７］発券制御部３５は、投票データ２００にステップＳ６６で受け付けた場名を設定する。
【０１３７】
［ステップＳ６８］発券制御部３５は、カード読取判定部３１を介してカードの場名の欄にマークが記入された複数の場名を読み取る。
［ステップＳ６９］発券制御部３５は、投票データ２００に場流しフラグ「１」を設定し、ステップＳ２５で受け付けた複数の場名を設定する。
【０１３８】
［ステップＳ７０］発券制御部３５は、投票カードに記入された投票方法（式別、流し投票、ボックス投票等）、レース番号、艇番および着順、購入金額についてカード読取判定部３１を介して取得し、投票データ２００に設定し、投票カード受付処理を終了する。
【０１３９】
次に、第２の実施形態の閲覧場選択画面について図１３を用いて説明する。図１３は、第２の実施形態の閲覧場選択画面の一例を示す図である。
閲覧場選択画面８００は、情報を閲覧する場を利用者からタッチパネル３０６を介して受け付けるためにディスプレイ３０５に表示する画面である。閲覧場選択画面８００は、出走表レース場情報表示処理のステップＳ４２で表示される画面の一例である。以下の説明において、利用者が投票端末３０を操作した月日が６月８日であり、投票端末３０はＡ場に設置されているものとする。
【０１４０】
閲覧場選択画面８００は、場を選択するためのボタン８０１，８０２，８０３，８０４，８０５，８０６，８０７、場選択説明表示領域８０８、次にすすむためのボタン８０９を含む。
【０１４１】
場を選択するためのボタン８０１〜８０７は、各ボタンに表示された場名を選択するボタンである。発券制御部３５は、記憶部３３に対し、押下して選択された場名を閲覧リストに記憶する指示を出す。利用者は、場を選択するためのボタン８０１〜８０７を用いて１以上の場を選択できる。
【０１４２】
場選択説明表示領域８０８は、利用者に対して場を選択するために参考となる説明を表示する領域である。たとえば、場選択説明表示領域８０８は、「本日（６月８日）、Ｂ場でＧ１レースＸＹＺ杯開催中！」のように、利用者が投票端末３０を操作した月日における開催レースの説明（レース開催場名、レースのグレード、レースの名称、スポンサーの名称等）を表示できる。このように、利用者が操作した投票端末３０が設置されたＡ場だけでなく、他の場の説明を表示することにより、他の場についての利用者の関心を高めることができる蓋然性が高い。これに伴い、複数場の投票券の購入の促進および売上高の向上を図ることが可能となる。
【０１４３】
また、場選択説明表示領域８０８は、「本日（６月８日）、Ｄ場，Ｆ場，Ｉ場においてレースは開催されておりません」のように、利用者が投票端末３０を操作した月日における各場におけるスケジュールを表示できる。また、スケジュールを表示するとともに、場を選択するためのボタン８０１〜８０７に、レースが開催されていないＤ場，Ｆ場，Ｉ場を表示しないことで利用者による選択の誤りを防止できる。また、場選択説明表示領域８０８は、「次の画面で、ご覧になりたい情報（出走表／コース別入着率等）を選択できます」のように、閲覧場選択画面８００で選択した場について閲覧したい情報を次の画面で選択できる旨の説明を表示できる。なお、開催レースの説明や開催スケジュールの情報は、投票端末３０がホストコンピュータ５０から取得できる。
【０１４４】
次にすすむためのボタン８０９は、選択した場について閲覧する項目を選択する画面（閲覧項目選択画面）を表示する際に利用者が押下するボタンである。
次に、第２の実施形態の閲覧項目選択画面について図１４を用いて説明する。図１４は、第２の実施形態の閲覧項目選択画面の一例を示す図である。
【０１４５】
閲覧項目選択画面８１０は、情報を閲覧する項目を利用者からタッチパネル３０６を介して受け付けるために表示する画面である。閲覧項目選択画面８１０は、出走表レース場情報表示処理のステップＳ４５で表示される画面である。閲覧項目選択画面８１０は、閲覧場選択画面８００で次にすすむためのボタン８０９が押下された場合にディスプレイ３０５で表示する画面である。以下の説明において、閲覧場選択画面８００でＡ場およびＢ場が選択されたものとする。
【０１４６】
閲覧項目選択画面８１０は、出走表を表示するためのボタン８１１、レース場情報を表示するためのボタン８１２，８１３，８１４，８１５、項目を選択するためのボタン８１６、項目選択説明表示領域８１７、次にすすむためのボタン８１８を含む。また、閲覧項目選択画面８１０は、閲覧場選択画面８００で選択された場名を表示できる。発券制御部３５は、記憶部３３を介して閲覧リストに記憶された場名を読み出し、表示部３４を介してディスプレイ３０５に表示する指示を出す。
【０１４７】
出走表を表示するためのボタン８１１は、閲覧選択されたＡ場およびＢ場の出走表の全ての項目を表示するために押下するボタンである。
レース場情報を表示するためのボタン８１２〜８１５は、閲覧選択されたＡ場およびＢ場のレース場情報を表示するために押下するボタンである。発券制御部３５は、記憶部３３に対し、押下して選択された項目を閲覧リストに記憶する指示を出す。
【０１４８】
表示する項目を選択するボタン８１６は、表示する指定項目を選択するために押下するボタンである。表示する項目を選択するボタン８１６を押下した場合、プルダウンメニューが表示される。利用者は、表示する指定項目をプルダウンメニューから選択できる。プルダウンメニューで選択できる指定項目の例として、選手名、グレード別開催場一覧表等がある。
【０１４９】
項目選択説明表示領域８１７は、利用者に対して閲覧する項目を選択するために参考となる説明を表示する領域である。たとえば、項目選択説明表示領域８１７は、「本日（６月８日）、夏季のコース別入着率がご覧いただけます（集計期間：昨年６月１日〜８月３１日）」のように、利用者が投票端末３０を操作した月日における情報を提供することを表示できる。また、項目選択説明表示領域８１７は、「［レース場情報：コース別入着率（対比）］は、複数場の入着率と枠番別コース取得率１位を対比して表示します」のように、各ボタンを押下した場合に表示される内容について表示できる。
【０１５０】
次にすすむためのボタン８１８は、閲覧する項目を表示する画面（情報閲覧画面）を表示する際に利用者が押下するボタンである。
次に、第２の実施形態の情報閲覧画面について図１５を用いて説明する。図１５は、第２の実施形態の情報閲覧画面の一例を示す図である。
【０１５１】
情報閲覧画面８２０は、閲覧場選択画面８００で選択された場について、閲覧項目選択画面８１０で選択された項目の情報をディスプレイ３０５に表示した画面である。情報閲覧画面８２０は、閲覧項目選択画面８１０で次にすすむためのボタン８１８が押下された場合にディスプレイ３０５で表示される画面である。情報閲覧画面８２０は、出走表レース場情報表示処理のステップＳ４８で表示される画面の一例である。以下の説明において、閲覧場選択画面８００でＡ場およびＢ場が選択され、閲覧項目選択画面８１０で「レース場情報：コース別入着率（対比）」が選択されたものとする。
【０１５２】
情報閲覧画面８２０は、Ａ場およびＢ場についてコース別入着率と枠番別コース取得率１位のデータを対比した表、別な情報を閲覧するためのボタン８２１、次にすすむためのボタン８２２を含む。
【０１５３】
コース別入着率のデータは、ホストコンピュータ５０から受信したレース場情報から発券制御部３５が抽出したデータである。コース別入着率のデータは、利用者が投票端末３０を操作した月日を含む昨年のコース別入着率のデータを発券制御部３５が抽出したデータである。たとえば、利用者が投票端末３０を操作した月日が６月８日である場合、発券制御部３５は、昨年の夏季（夏季のデータ集計期間は、昨年６月１日〜８月３１日）のデータを抽出できる。なお、コース別入着率は季節別（春季、夏季、秋季、冬季）で集計される場合が多いため、昨年の同時期である夏季のデータについて発券制御部３５が抽出した例を示したが、その他の期間でデータの抽出を行ってもよい。たとえば、１カ月単位でデータを集計している場合、発券制御部３５は、昨年６月に集計されたコース別入着率のデータを抽出し表示してもよい。
【０１５４】
枠番別コース取得率１位のデータは、ホストコンピュータ５０から受信したレース場情報から発券制御部３５が抽出したデータである。枠番別コース取得率のデータは、枠番を縦軸としコース番号を横軸としたマトリクス状のデータである。枠番別コース取得率１位のデータは、マトリクス状のデータから、枠番別にコース取得率が１位のデータのみを発券制御部３５が抽出したデータである。枠番別コース取得率１位のデータは、コース別入着率のデータを閲覧する際に合せて利用者に閲覧される場合が多いデータであるため、両データを対応付けて表示することで利用者の利便性の向上を図る。
【０１５５】
別な情報を閲覧するためのボタン８２１は、別な情報を閲覧する際に利用者が押下するボタンである。別な情報を閲覧するためのボタン８２１を押下した場合、閲覧項目選択画面８１０が表示される。次にすすむためのボタン８２２は、投票にすすむ際に利用者が押下するボタンである。
【０１５６】
このように、情報閲覧画面８２０は、利用者が選択した場について、利用者が投票端末を操作した月日に応じたコース別入着率を対比して表示することが可能である。これにより、複数場について投票券購入を検討する利用者に対し、きめ細かい情報提供が可能となる。
【０１５７】
次に、第２の実施形態の投票場選択画面について図１６を用いて説明する。図１６は、第２の実施形態の投票場選択画面の一例を示す図である。
投票場選択画面８３０は、投票する場を利用者からタッチパネル３０６を介して受け付けるためにディスプレイ３０５に表示する画面である。投票場選択画面８３０は、投票画面受付処理のステップＳ２４で表示される画面の一例である。以下の説明において、利用者が投票前に、閲覧場選択画面８００でＡ場およびＢ場を選択し、閲覧項目選択画面８１０で「レース場情報：コース別入着率（対比）」を選択したものとする。
【０１５８】
投票場選択画面８３０は、場を選択するためのボタン８３１，８３２，８３３，８３４，８３５，８３６，８３７、情報を閲覧した場名表示領域８３８、次にすすむためのボタン８３９を含む。
【０１５９】
場を選択するためのボタン８３１〜８３７は、各ボタンに表示された場名を選択するボタンである。発券制御部３５は、記憶部３３に対し、押下して選択された場名を選択場名リストに記憶する指示を出す。利用者は、場を選択するためのボタン８３１〜８３７を用いて１以上の場を選択できる。
【０１６０】
情報を閲覧した場名表示領域８３８は、利用者が閲覧した場名等を表示する領域である。発券制御部３５は、記憶部３３を介して閲覧リストに記憶された場名等を読み出し、表示部３４を介してディスプレイ３０５に表示する指示を出す。ここでは、利用者が投票前にＡ場およびＢ場のレース場情報を閲覧しているため、情報を閲覧した場名表示領域８３８に場名（Ａ場、Ｂ場）と、閲覧された情報（「レース場情報：コース別入着率（対比）」）が表示される。次にすすむためのボタン８３９は、投票にすすむ際に利用者が押下するボタンである。
【０１６１】
このように、投票場選択画面８３０は、閲覧場選択画面８００で選択した場を表示する。利用者は、以前の画面で閲覧した場を投票場選択画面８３０において確認できるため、閲覧した場に投票したいと考えているが閲覧した場を忘れてしまった場合等に有用である。
【０１６２】
次に、第２の実施形態の投票方法選択画面について図１７を用いて説明する。図１７は、第２の実施形態の投票方法選択画面の一例を示す図である。
投票方法選択画面８４０は、投票する方法を利用者からタッチパネル３０６を介して受け付けるためにディスプレイ３０５に表示する画面である。投票方法選択画面８４０は、投票画面受付処理のステップＳ２９で表示される画面の一例である。以下の説明において、利用者が投票場選択画面８３０で、Ａ場およびＢ場を選択したものとする。
【０１６３】
投票方法選択画面８４０は、投票方法を選択するためのボタン８４１，８４２，８４３，８４４，８４５，８４６，８４７、選択した場名表示領域８４８、次にすすむためのボタン８４９を含む。
【０１６４】
投票方法を選択するためのボタン８４１〜８４７は、各ボタンに表示された賭式を選択するボタンである。発券制御部３５は、記憶部３３に対し、押下して選択された賭式を記憶する指示を出す。利用者は、投票方法を選択するためのボタン８４１〜８４７を用いて１以上の投票方法を選択できる。
【０１６５】
投票した場名表示領域８４８は、利用者が投票した場名を表示する領域である。ここでは、利用者がＡ場およびＢ場に投票しているため、投票した場名表示領域８４８に場名（Ａ場、Ｂ場）が表示される。次にすすむためのボタン８４９は、投票にすすむ際に利用者が押下するボタンである。
【０１６６】
なお、これらは一例であり、投票方法選択画面８４０は、他の表示や画面構成等を含むことができる。たとえば、投票方法選択画面８４０は、修正するためのボタンを含み、修正するためのボタンが押下された場合に修正を受け付ける画面に遷移してもよい。
【０１６７】
このように、投票方法選択画面８４０は、投票場選択画面８３０で選択した投票場を表示する。利用者は、投票方法選択画面８４０において投票する場を確認できるため、特に複数の場を投票対象として選択した場合に有用である。
【０１６８】
こうして、投票端末３０では、複数の場名が記入された投票カードを受け付け、又は、タッチパネル３０６を介して複数の場名の入力を受け付けることで、複数の場名を指定した投票券の発売ができる。
【０１６９】
また、投票端末３０において各種の情報を画面表示して提供することにより、パソコンやタブレット端末等の情報機器を持ち合せていない利用者であっても、投票内容を検討するための情報にアクセスしやすくなる。
【０１７０】
また、投票端末３０は、複数の場についてレース場情報を対比して表示したり、利用者が操作している投票端末３０が設置された場以外のレース場情報について表示したりする。これにより、投票端末３０は、利用者が複数場について投票券を購入するよう促し、売上の促進を図ることが可能となる。また、投票端末３０は、複数の場の出走表やレース場情報を提供することで、利用者に対する利便性を向上できる。
【０１７１】
なお、上記の処理機能は、コンピュータによって実現することができる。その場合、投票端末１，３０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ（Digital Versatile Disc）、ＤＶＤ−ＲＡＭ、ＣＤ−ＲＯＭ（Compact Disc - Read Only Memory）／ＲＷ（ReWritable）等がある。光磁気記録媒体には、ＭＯ（Magneto-Optical disk）等がある。
【０１７２】
プログラムを流通させる場合には、たとえば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１７３】
プログラムを実行するコンピュータは、たとえば、可搬型記録媒体に記録されたプログラムもしくはサーバコンピュータから転送されたプログラムを、自己の記憶装置に格納する。コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１７４】
また、上記の処理機能の少なくとも一部を、ＤＳＰ、ＡＳＩＣ、ＰＬＤ等の電子回路で実現することもできる。
なお、本実施の形態で説明した投票端末は一例であり、有人・無人の現金による発券機／発払機や会員カード等を用いてキャッシュレスで投票が可能なキャッシュレス端末等も含まれる。投票カードを用いて投票が可能な装置全般を含む。また、その他の発売機・発券機にも応用が可能である。
【０１７５】
また、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１７６】
１，３０  投票端末
２  入力受付部
３  制御部
４  表示部
５  情報閲覧画面
６  投票画面
７  記憶部
４０  ネットワーク
５０  ホストコンピュータ
１００  投票システム
３０１  投票カード出入口
３０２  硬貨出入口
３０３  投票券／レシート排出口
３０４  紙幣出入口
３０５  ディスプレイ
３０６  タッチパネル
３０７  ＩＣカード読取部
【図１】
2018010397.tif 000003
【図２】
2018010397.tif 000004
【図３】
2018010397.tif 000005
【図４】
2018010397.tif 000006
【図５】
2018010397.tif 000007
【図６】
2018010397.tif 000008
【図７】
2018010397.tif 000009
【図８】
2018010397.tif 000010
【図９】
2018010397.tif 000011
【図１０】
2018010397.tif 000012
【図１１】
2018010397.tif 000013
【図１２】
2018010397.tif 000014
【図１３】
2018010397.tif 000015
【図１４】
2018010397.tif 000016
【図１５】
2018010397.tif 000017
【図１６】
2018010397.tif 000018
【図１７】
2018010397.tif 000019